(57)【特許請求の範囲】
【請求項１】
被記録媒体に画像を形成する画像形成手段を備えると共に、１つの電源から電力の供給を受ける複数の電装品を備えた画像形成装置であって、
上記電源は、安定化された制御系用出力と、上記複数の電装品に電力を供給する駆動系用出力とを有する１つのトランスを含むスイッチング電源で構成され、
上記複数の電装品として、冷却用ファンと、定格電流が該冷却用ファンより大きい所定電装品と、更に他の電装品とを備え、
上記制御系用出力から電力が供給され、かつ、上記駆動系用出力からは上記所定電装品及び上記冷却用ファンを除く上記電装品に電力が供給されず、上記所定電装品にはその所定電装品の定格未満の電流が通電される第１の動作モードと、上記制御系用出力から電力が供給され、かつ、上記駆動系用出力からは上記冷却用ファン及び上記所定電装品を全速で駆動する電流が通電される第２の動作モードと、を実行可能な通電制御手段を、
備えたことを特徴とする画像形成装置。
【請求項２】
上記第１の動作モードでは、上記冷却用ファンが半速で駆動されるように通電可能なことを特徴とする請求項１記載の画像形成装置。
【請求項３】
上記駆動系用出力における出力電圧の上昇する傾向が強い場合ほど、上記通電制御手段は、上記第１の動作モードにおいて上記所定電装品に通電する上記定格未満の電流の電流値を大きく設定することを特徴とする請求項１または２記載の画像形成装置。
【請求項４】
上記所定電装品を複数備えると共に、その複数の所定電装品のうちの少なくとも１つの異常を検出する異常検出手段を備え、
該異常検出手段が上記１つの所定電装品の異常を検出したとき、上記通電制御手段は、上記第１の動作モードにおいて上記１つの所定電装品には通電せず、他の上記所定電装品に上記定格未満の電流を通電することを特徴とする請求項１〜３のいずれかに記載の画像形成装置。
【請求項５】
上記所定電装品は、上記画像形成手段を通って上記被記録媒体を搬送するための搬送駆動装置であることを特徴とする請求項１〜４のいずれかに記載の画像形成装置。
【請求項６】
上記定格未満の電流は、上記搬送駆動装置による上記被記録媒体の搬送がなされない電流値に設定されたことを特徴とする請求項５記載の画像形成装置。
【請求項７】
上記搬送駆動装置への上記定格未満の電流の通電は、上記搬送駆動装置への通電を一旦中止した後になされることを特徴とする請求項６記載の画像形成装置。
【請求項８】
上記画像形成手段は、露光に応じて表面に静電潜像が形成される感光体と、ポリゴンミラーの回転に応じて上記感光体の表面を走査露光する露光手段と、上記感光体の表面に形成された静電潜像に現像剤を付着させて現像する現像手段と、該現像手段により上記感光体に付着された現像剤を上記被記録媒体に転写する転写手段と、を備え、
上記所定電装品は、上記ポリゴンミラーを回転駆動するポリゴン駆動装置であることを特徴とする請求項１〜７のいずれかに記載の画像形成装置。
【請求項９】
上記所定電装品として、上記ポリゴン駆動装置と、上記画像形成手段を通って上記被記録媒体を搬送するための搬送駆動装置とを備えると共に、
上記被記録媒体の搬送経路を覆うカバーと、
該カバーの開放を検出する開放検出手段と、
を備え、
上記開放検出手段が上記カバーの開放を検出したとき、上記通電制御手段は、上記搬送駆動装置には通電せず、上記ポリゴン駆動装置に上記定格未満の電流を通電することを特徴とする請求項８記載の画像形成装置。
【発明の詳細な説明】
【技術分野】
【０００１】
本発明は、１つの電源から電力の供給を受ける複数の電装品を備えた画像形成装置に関し、詳しくは、上記電源の電源電圧の安定化を考慮した画像形成装置に関する。
【背景技術】
【０００２】
従来より、例えばレーザプリンタ等の各種電子機器の直流電源として、ＣＰＵ等に給電するための比較的低電圧（例えば３．３Ｖ）の安定化された制御系用出力と、プリンタエンジンやファンなどの複数の電装品に電力を供給するための比較的高電圧（例えば２４Ｖ）の駆動系用出力とを有する電源が使用される場合がある。また、この種の電源としては、上記制御系用出力と駆動系用出力とを２次側に有する１つのトランスを含むスイッチング電源が使用される場合がある。
【０００３】
この種の電源では、駆動系用出力の負荷が小さく、制御系用出力の負荷が大きい場合、その制御系用出力の電圧を安定化しようとすると駆動系用出力の電圧が上昇してしまうことがある。そこで、このような場合、ファンなどの負荷を駆動することにより駆動系用出力の負荷を大きくして、駆動系用出力の電圧上昇を抑制することが提案されている（例えば、特許文献１参照）。
【特許文献１】特開平１１−１９６５７４号公報
【発明の開示】
【発明が解決しようとする課題】
【０００４】
ところが、上記技術のようにファンなどを駆動して駆動系用出力の電圧上昇を抑制するためには、駆動系用出力の本来の電圧よりも高い定格電圧を有するファンを使用しなければ、電圧上昇時にファンが破壊されてしまう。このため、高い定格電圧を有する高価なファンを使用する必要が生じ、装置の製造コストが上昇する。また、上記のように制御系用，駆動系用の２系統の出力を有する電源に限らず、１つの電源から複数の電装品が電力の供給を受ける場合は、電圧変動に備えて本来の電源電圧よりも高い定格電圧を有する電装品を使用する必要があった。そこで、本発明は、１つの電源から電力の供給を受ける複数の電装品を備えた画像形成装置において、本来の電源電圧よりも高い定格電圧を有する電装品を用いることなくその電源電圧の変動を抑制することを目的としてなされた。
【課題を解決するための手段】
【０００５】
上記目的を達するためになされた本発明は、被記録媒体に画像を形成する画像形成手段を備えると共に、１つの電源から電力の供給を受ける複数の電装品を備えた画像形成装置であって、上記電源は、安定化された制御系用出力と、上記複数の電装品に電力を供給する駆動系用出力とを有する１つのトランスを含むスイッチング電源で構成され、上記複数の電装品として、冷却用ファンと、定格電流が該冷却用ファンより大きい所定電装品と、更に他の電装品とを備え、上記制御系用出力から電力が供給され、かつ、上記駆動系用出力からは上記所定電装品及び上記冷却用ファンを除く上記電装品に電力が供給されず、上記所定電装品にはその所定電装品の定格未満の電流が通電される第１の動作モードと、上記制御系用出力から電力が供給され、かつ、上記駆動系用出力からは上記冷却用ファン及び上記所定電装品を全速で駆動する電流が通電される第２の動作モードと、を実行可能な通電制御手段を、備えたことを特徴としている。
【０００６】
このように構成された本発明では、電源の出力電圧が上昇する可能性のあるとき、すなわち、上記電源の制御系用出力から電力が供給され、かつ、駆動系用出力からは上記所定電装品及び上記冷却用ファンを除く上記電装品に電力が供給されない第１の動作モードのときに、通電制御手段は、上記所定電装品に、その所定電装品の定格未満の電流を通電する。このため、上記電源から流れ出る電源電流を増加させて、上記出力電圧の上昇を抑制することができる。しかも、所定電装品に通電される電流は定格未満の大きさであるため、上記所定電装品の定格電圧がそれほど高くなくてもその所定電装品の破壊を免れることができる。更に、このように所定電装品に通電される電流が定格未満の大きさであるため、その通電による画像形成装置への影響が少なく、所定電装品の選択の自由度が広がる。このため、一層良好に出力電圧の上昇を抑制することができる。従って、本発明では、高い定格電圧を有する電装品を用いなくても電源電圧の変動を抑制することができ、延いては、その画像形成装置の製造コストを低減することができる。
【０００８】
電源が上記のように構成された場合、上記のように制御系用出力から電力が供給されかつ駆動系用出力からは所定電装品及び冷却用ファンを除く電装品に電力が供給されない動作モードでは、制御系用出力から電力が供給されているにも拘らず駆動系用出力から流れる電流が少ないため、その駆動系用出力の電圧が上昇し易いことが知られている。そこで、本発明では、このような第１の動作モードにおいて、駆動系用出力から電力を供給される所定電装品に上記定格未満の電流を通電することにより、その駆動系用出力の電圧が上昇するのを良好に抑制することができる。また、前述のように、冷却用ファンを駆動して駆動系用出力の電圧上昇を抑制しようとする思想は従来からあるが、本発明では、上記所定電装品の定格電流が冷却用ファンの定格電流よりも大きいため、駆動系用出力の電圧が上昇するのを一層良好に抑制することができる。更に、上記第１の動作モードでは上記冷却用ファンが半速で駆動されるように通電可能であってもよい。
【０００９】
また、上記駆動系用出力における出力電圧の上昇する傾向が強い場合ほど、上記通電制御手段は、上記第１の動作モードにおいて上記所定電装品に通電する上記定格未満の電流の電流値を大きく設定してもよい。例えば、制御系に拡張メモリが接続された場合などには、駆動系用出力における出力電圧が上昇し易くなることが知られている。そこで、このように駆動系用出力における出力電圧の上昇する傾向が強いほど、上記定格未満の電流値を大きく設定することにより、駆動系用出力の電圧が上昇するのを一層良好に抑制することができる。
【００１１】
また、上記所定電装品は１つでなくてもよく、例えば、上記所定電装品を複数備えると共に、その複数の所定電装品のうちの少なくとも１つの異常を検出する異常検出手段を備え、該異常検出手段が上記１つの所定電装品の異常を検出したとき、上記通電制御手段は、上記第１の動作モードにおいて上記１つの所定電装品には通電せず、他の上記所定電装品に上記定格未満の電流を通電してもよい。この場合、異常が検出された所定電装品には通電しないことにより、その所定電装品の破損等を防止することができるといった更なる効果が生じる。
【００１２】
また、上記所定電装品は、上記画像形成手段を通って上記被記録媒体を搬送するための搬送駆動装置であってもよい。
【００１３】
そして、この場合、上記定格未満の電流が、上記搬送駆動装置による上記被記録媒体の搬送がなされない電流値に設定されると、更に次のような効果が生じる。すなわち、この場合、上記電流が搬送駆動装置に通電されるか否かに関わらず被記録媒体の搬送はなされないので、電子機器としての画像形成装置の動作に影響を与えることなく、前述のように駆動系用出力の電圧が上昇するのを抑制することができる。更にこの場合、上記搬送駆動装置への上記定格未満の電流の通電は、上記搬送駆動装置への通電を一旦中止した後になされてもよい。
【００１４】
また、上記画像形成手段は、露光に応じて表面に静電潜像が形成される感光体と、ポリゴンミラーの回転に応じて上記感光体の表面を走査露光する露光手段と、上記感光体の表面に形成された静電潜像に現像剤を付着させて現像する現像手段と、該現像手段により上記感光体に付着された現像剤を上記被記録媒体に転写する転写手段と、を備え、上記所定電装品は、上記ポリゴンミラーを回転駆動するポリゴン駆動装置であってもよい。
【００１５】
そして、この場合、上記所定電装品として、上記ポリゴン駆動装置と、上記画像形成手段を通って上記被記録媒体を搬送するための搬送駆動装置とを備えると共に、上記被記録媒体の搬送経路を覆うカバーと、該カバーの開放を検出する開放検出手段と、を備え、上記開放検出手段が上記カバーの開放を検出したとき、上記通電制御手段は、上記搬送駆動装置には通電せず、上記ポリゴン駆動装置に上記定格未満の電流を通電してもよい。
【００１６】
この種の画像形成装置では、上記カバーが開放されたとき、被記録媒体が使用者によって引っ張られるなどする可能性がある。搬送駆動装置に上記定格未満の電流が通電されているときに被記録媒体が引っ張られるなどすると、搬送駆動装置に想定外の負荷がかかって好ましくない。そこで、本発明では、開放検出手段が上記カバーの開放を検出したとき、通電制御手段は、上記搬送駆動装置には通電せず、ポリゴン駆動装置に上記定格未満の電流を通電する。このため、搬送駆動手段の破損を一層良好に防止することができる。
【発明を実施するための最良の形態】
【００１７】
次に、本発明の実施の形態を、図面と共に説明する。なお、以下に説明するように、本実施の形態は、画像形成装置としてのいわゆるレーザプリンタに本発明を適用したものである。
【００１８】
１．レーザプリンタの全体構成
図１は本実施の形態に係るレーザプリンタ１の外観を表す斜視図であり、このレーザプリンタ１は、紙面上側を重力方向上方側として設置され、通常、紙面左手前側を前側として使用される。
【００１９】
そして、レーザプリンタ１の筐体３は略箱状（直方体状）に形成されており、この筐体３の上面側には、印刷を終えて筐体３から排出された被記録媒体が載置される排紙トレイ５が設けられている。なお、本実施の形態では、被記録媒体として、紙やＯＨＰシート等の用紙を想定している。
【００２０】
また、排紙トレイ５は、後方側に向かうほど、筐体３の上面から下がるように傾斜した傾斜面５ａにて構成されており、この傾斜面５ａの後端側には、印刷が終了した被記録媒体が排出される排出部７が設けられている。
【００２１】
そして、筐体３のうち排紙トレイ５（傾斜面５ａ）を囲むように略コの字状に形成された上カバー９には、レーザプリンタ１をネットワークに接続する場合とネットワークから切り離す場合とを切り替えるラインスイッチ１ａ、及び印刷を強制的に終了（中断）させるジョブキャンセルスイッチ１ｂ等が設けられている。
【００２２】
２．レーザプリンタの内部構成
図２はレーザプリンタ１の内部構成を表す縦断面図である。レーザプリンタ１の内部に収容された画像形成部１０は被記録媒体に画像を形成する画像形成手段を構成するものであり、フィーダ部２０は、画像形成部１０に被記録媒体を供給する搬送手段の一部を構成するものである。
【００２３】
第１排出シュート３０及び第２排出シュート４０は、画像形成部１０にて画像形成が終了した被記録媒体の搬送方向をＵターンさせるように略１８０°転向させて、被記録媒体を定着器ユニット９０（詳細は、後述する）の上方に設けられた排出部７に案内する案内部材を構成するものである。
【００２４】
正逆切替機構５０は、画像形成部１０から排出された被記録媒体の搬送方向を反転させると共に、搬送方向が反転された被記録媒体を再び画像形成部１０側に搬送する排紙ローラ反転機構を構成するものであり、両面印刷ユニット６０は、正逆切替機構５０にて搬送方向が反転された被記録媒体の搬送経路を構成するものである。
【００２５】
２．１．フィーダ部
フィーダ部２０は、筐体３の最下部に収納された給紙トレイ２１、給紙トレイ２１の前端部上方に設けられて画像形成部１０に被記録媒体を搬送する給紙ローラ２２、並びに給紙ローラ２２にて搬送される被記録媒体を１枚毎に分離する分離ローラ２３及び分離パッド２４等を有して構成されている。そして、給紙トレイ２１に載置されている被記録媒体は、筐体３内前側にてＵターンするようにして、筐体３内の略中央部に配設された画像形成部１０に搬送される。
【００２６】
なお、給紙トレイ２１から画像形成部１０に至る被記録媒体の搬送経路のうち、略Ｕ字状に転向する部位の頂部外側には、被記録媒体の画像形成面（印刷面）に付着した紙粉等を取り除く紙粉取りローラ２５が配設され、その頂部内側には搬送される被記録媒体を紙粉取りローラ２５に押圧する対向ローラ２６が配設されている。
【００２７】
また、給紙トレイ２１から画像形成部１０に至る搬送経路のうち画像形成部１０の入口には、被記録媒体に搬送抵抗を付与して被記録媒体の搬送状態を整える一対のローラからなるレジストローラ２７が配設されている。
【００２８】
２．２．画像形成部
画像形成部１０は、スキャナ部７０、プロセスカートリッジ８０及び定着器ユニット９０等を有して構成されている。
【００２９】
２．２．１．スキャナ部
スキャナ部７０は、筐体３内の上部に設けられて後述する感光体ドラム８１の表面に静電潜像を形成する露光手段を構成するものであり、図示しないレーザ光源、ポリゴン駆動装置としてのポリゴンモータ４５０によって駆動されるポリゴンミラー７２、ｆθレンズ７３、反射鏡７４、レンズ７５、及び反射鏡７６を有して構成されている。
【００３０】
そして、レーザ光源から発光される画像データに基づくレーザビームは、ポリゴンミラー７２で偏向されて、ｆθレンズ７３を通過した後、反射鏡７４によって光路が折り返され、更にレンズ７５を通過した後、反射鏡７６によって光路が下方に屈曲されることにより、感光体としての感光体ドラム８１の表面上に照射され、静電潜像が形成される。
【００３１】
２．２．２．プロセスカートリッジ
プロセスカートリッジ８０は、スキャナ部７０の下方側において着脱可能に筐体３内に配設されており、このプロセスカートリッジ８０は、感光体ドラム８１、帯電器８２、転写ローラ８３、及び、現像カートリッジ８４等から構成されている。
【００３２】
感光体ドラム８１は、最表層がポリカーボネート等からなる正帯電性の感光層により形成される円筒状のドラム本体８１ａと、このドラム本体８１ａの軸心において、ドラム本体８１ａの長手方向に沿って延びてドラム本体８１ａを回転可能に支持するドラム軸８１ｂとを有して構成されている。
【００３３】
帯電器８２は、上記レーザビームによる静電潜像形成に先立って感光体ドラム８１の表面を帯電させるもので、感光体ドラム８１の後側斜め上方において、感光体ドラム８１と接触しないように所定間隔を有して感光体ドラム８１と対向配設されている。なお、本実施の形態に係る帯電器８２は、コロナ放電を利用して感光体ドラム８１の表面に略均一に正電荷を帯電させるスコロトロン型帯電器を採用している。
【００３４】
転写ローラ８３は、感光体ドラム８１と対向して配設されて感光体ドラム８１の回転と連動して回転し、被記録媒体が感光体ドラム８１近傍を通過する際に、感光体ドラム８１に帯電した電荷と反対の電荷（本実施の形態では、負電荷）を印刷面とは反対側から被記録媒体に作用させることにより、感光体ドラム８１の表面に付着したトナーを被記録媒体の印刷面に転写させる転写手段をなすものである。
【００３５】
現像カートリッジ８４は、トナーが収容されたトナー収容室８４ａ、トナーを感光体ドラム８１に供給するトナー供給ローラ８４ｂ及び現像ローラ８４ｃ等を有して構成されている。
【００３６】
そして、トナー収容室８４ａに収容されているトナーは、トナー供給ローラ８４ｂの回転によって現像手段としての現像ローラ８４ｃ側に供給される。更に、現像ローラ８４ｃ側に供給されたトナーは、現像ローラ８４ｃの表面に担持され、層厚規制ブレード８４ｄにより所定の厚みとなるように調整されると共に摩擦帯電された後、スキャナ部７０にて露光された感光体ドラム８１の表面に供給される。
【００３７】
２．２．３．定着器ユニット
定着器ユニット９０は、被記録媒体の搬送方向において感光体ドラム８１より下流側に配設され、被記録媒体に転写されたトナーを加熱溶融させて定着させるものである。具体的には、定着器ユニット９０は、被記録媒体の印刷面側に配設されてトナーを加熱する加熱ローラ９１、及び、被記録媒体を挟んで加熱ローラ９１と反対側に配設されて被記録媒体を加熱ローラ９１側に押圧する加圧ローラ９２等を有して構成されている。
【００３８】
因みに、本実施の形態に係る加熱ローラ９１は、表面がフッ素樹脂によってコーティングされた金属管と、その金属管内に加熱のためのハロゲンランプとから構成されており、一方、加圧ローラ９２は、金属製のローラ軸を、ゴム材料からなるローラで被覆することにより構成されている。
【００３９】
以上に説明した画像形成部１０においては、以下のようにして被記録媒体に画像が形成される。
すなわち、感光体ドラム８１の表面は、その回転に伴って、帯電器８２により一様に正帯電された後、スキャナ部７０から照射されるレーザビームの高速走査により露光される。これにより、感光体ドラム８１の表面には、被記録媒体に形成すべき画像に対応した静電潜像が形成される。
【００４０】
次いで、現像ローラ８４ｃの回転により、現像ローラ８４ｃ上に担持され、かつ、正帯電されているトナーが、感光体ドラム８１に対向して接触するときに、感光体ドラム８１の表面上に形成されている静電潜像、つまり、一様に正帯電されている感光体ドラム８１の表面のうち、レーザビームによって露光され電位が下がっている露光部分に供給される。これにより、感光体ドラム８１の静電潜像は、可視像化され、感光体ドラム８１の表面には、反転現像によるトナー像が担持される。
【００４１】
その後、感光体ドラム８１の表面上に担持されたトナー像は、転写ローラ８３に印加される転写バイアスによって被記録媒体に転写される。そして、トナー像が転写された被記録媒体は定着器ユニット９０に搬送されて加熱され、トナー像として転写されたトナーが被記録媒体に定着して、画像形成が完了する。
【００４２】
２．３．第１排出シュート
本実施の形態に係るレーザプリンタ１では、第１排出シュート３０は、図２に示すように、筐体３内の後端側に配設され、かつ、筐体３の後端側、つまり第１排出シュート３０の近傍には、筐体３に形成された開口部３ａを開閉するリアカバー３ｂが回転可能に組み付けられている。
【００４３】
また、第１排出シュート３０は、被記録媒体の搬送方向において定着器ユニット９０より搬送方向下流側に配設されていると共に、画像形成部１０にて画像形成が終了した被記録媒体の搬送方向を略９０°転向させて被記録媒体を第２排出シュート４０に案内する。
【００４４】
なお、第１排出シュート３０は、定着器ユニット９０から排出された被記録媒体が最初に接触する部位に配設されたフロントシュート３１、及びフロントシュート３１よりも被記録媒体搬送方向下流側に配設されたアウタシュート３２を有して構成されている。また、フロントシュート３１及びアウタシュート３２には、それぞれ、被記録媒体搬送方向に沿って延びる突状のフロントシュートリブ３１ａ及びアウタシュートリブ３２ａが複数本形成されており、被記録媒体は、これらのリブ３１ａ、３２ａの先端側に接触しながら第２排出シュート４０に向けて案内される。また、第１排出シュート３０には、第１排紙ローラ３４ａが設けられ、定着器ユニット９０側の第１排紙ローラ３４ａと対向する位置には、第１ピンチローラ３４ｂが設けられている。
【００４５】
第１排紙ローラ３４ａは、被記録媒体に接触しながら回転することにより被記録媒体に搬送力を付与する搬送ローラであり、第１ピンチローラ３４ｂは、被記録媒体を挟んで第１排紙ローラ３４ａと反対側から被記録媒体を第１排紙ローラ３４ａ側に押圧するものである。このため、定着器ユニット９０から排出された被記録媒体は、第１排紙ローラ３４ａ及び第１ピンチローラ３４ｂにより挟まれるようにして第２排出シュート４０側に搬送される。
【００４６】
２．４．第２排出シュート
第２排出シュート４０は、第１排出シュート３０に対して所定の隙間４０ａを有して上カバー９に設けられ、第１排出シュート３０にて搬送方向が略９０°転向された被記録媒体を更に略９０°転向させて排出部７に案内する。
【００４７】
また、第１排出シュート３０と第２排出シュート４０との隙間４０ａは、正逆切替機構５０にて搬送方向が反転された被記録媒体の搬送通路（太い二点鎖線で示された搬送経路）の一部を構成している。因みに、図２中、太い一点鎖線で示された搬送経路が、フィーダ部２０にて搬送される被記録媒体の搬送通路を示している。
【００４８】
２．５．正逆切替機構及び両面印刷ユニット
正逆切替機構５０は、第２排紙ローラ４３の回転の向きを切り替えることより、第１排出シュート３０から搬送されてきた被記録媒体を排出部７（排紙トレイ５）側に搬送する場合と隙間４０ａ側に搬送する場合とを切り替えるものである。この正逆切替機構５０は、例えば、後述のＤＣモータ４４０（図４参照）で発生した回転力を第２排紙ローラ４３まで伝達する歯車の個数を、図示しないソレノイドにより切り換えて第２排紙ローラ４３の回転方向を切り換える機構である。なお、第２排紙ローラ４３と対向配置された第２ピンチローラ４３ｂは、第２排紙ローラ４３と協働して被記録媒体を挟み込むようにして回転することにより、被記録媒体と第２排紙ローラ４３との接触面圧を高めている。
【００４９】
両面印刷ユニット６０は、被記録媒体の搬送方向（前後方向）に延びるように突状に形成された複数本の案内リブ（図示せず）と、回転しながら被記録媒体に接触することにより被記録媒体に搬送力を付与する複数のローラ（図示せず）とを備え、第２排紙ローラ４３から隙間４０ａを介して搬送されてきた被記録媒体を画像形成部１０に搬送するものである。
【００５０】
２．６．電源ユニット
定着器ユニット９０と両面印刷ユニット６０との間には、レーザプリンタ１の各部に電力を供給する電源ユニット１００が配設されている。次に、この電源ユニット１００の構成について、図３の回路図を用いて説明する。なお、この電源ユニット１００は、各種モータ等に供給する電圧（本実施の形態では２４Ｖ）と、各部を制御するロジック回路等に供給する電圧（本実施の形態では３．３Ｖ）とを、並行して出力するものである。
【００５１】
図３に示すように、この電源ユニット１００は、トランス２００の１次側に、商用電源１１０（ＡＣ１００Ｖ）から供給される電流を整流する整流回路１２０、平滑用コンデンサ１３０の他に、トランス２００の１次側コイルへの通電をスイッチングするスイッチング素子１４０、スイッチング素子１４０のＯＮ／ＯＦＦを制御する発振制御回路１５０を備えている。
【００５２】
発振制御回路１５０は、後述する２次側のフォトダイオード１６１と共にフォトカプラを構成し、フォトダイオード１６１の発光を受けてＯＮ／ＯＦＦが切り替わるフォトトランジスタ１６０を内部に備えている。本実施の形態では、発振制御回路１５０は、フォトトランジスタ１６０のＯＮ／ＯＦＦにより規定される発振周波数にてスイッチング素子１４０が発振を起こす自励式の構成を想定しているが、ＰＷＭ−ＩＣ等を用いてトランス２００の１次側への通電時間を制御する他励式の構成であってもよい。なお、本実施の形態では、スイッチング素子１４０がＯＮとなったときにトランス２００にエネルギが蓄積され、１次側のスイッチング素子１４０がＯＦＦとなったときに２次側に起電力が生じるフライバック方式の構成を採用した。
【００５３】
トランス２００の２次側には、整流素子３１０を介して２４Ｖの電圧を出力する第１出力ライン３１１と、整流素子３１２を介して３．３Ｖの電圧を出力する第２出力ライン３１３とが設けられている。第２出力ライン３１３に出力される３．３Ｖの電圧は、前述のようにロジック回路等に供給されるため安定化する必要がある。そこで、電源ユニット１００では、第２出力ライン３１３とグランドライン３１４との間にフォトダイオード１６１を接続し、このフォトダイオード１６１とフォトカプラを構成するフォトトランジスタ１６０によって第２出力ライン３１３の出力電圧を１次側にフィードバックしている。
【００５４】
フォトダイオード１６１が点灯するのは、第２出力ライン３１３の出力が所定の値より高くなり、シャントレギュレータ３２１が第２出力ライン３１３からグランドライン３１４の方向へ導通状態となった場合である。なお、シャントレギュレータ３２１が導通状態となる第２出力ライン３１３の電圧は、可変抵抗３３０により微調整することができる。本実施の形態のように自励式の場合、フォトダイオード１６１が点灯することによりスイッチング素子１４０の発振周波数が上がり、トランス２００の１次側の通電量が減少し、２次側の電圧が下がる方向にフィードバック制御される。逆に、第２出力ライン３１３の電圧が低くなると、フォトダイオード１６１が消灯し、１次側の通電量が増加する。
【００５５】
２．７．冷却用ファン及び制御系
図１，図２に示すように、更に、レーザプリンタ１は、冷却用ファンとして、定着器ユニット９０を中心に画像形成部１０の全体を冷却するメインファン４１０と、主として電源ユニット１００を冷却するＰＳファン４２０とを備えている。そして、これらのメインファン４１０，ＰＳファン４２０は、図４に示すように、ソレノイド４３０，ＤＣモータ４４０，及びポリゴンモータ４５０と共に、ＣＰＵを内蔵したＡＳＩＣ（application specific integrated circuit ）５００に、接続されている。なお、図４に示すソレノイド４３０は、ＤＣモータ４４０で発生した回転力を給紙ローラ２２へ伝達するか否かを切り換えるものである。また、ＤＣモータ４４０は、前述の第２排紙ローラ４３，給紙ローラ２２をはじめとする各種ローラや感光体ドラム８１などを駆動する搬送駆動装置として構成されている。なお、メインファン４１０，ＰＳファン４２０，ソレノイド４３０，ＤＣモータ４４０，ポリゴンモータ４５０などは、電源ユニット１００の第１出力ライン３１１から電力が供給される。
【００５６】
また、図４に示すように、ＡＳＩＣ５００は、メインファン駆動回路４１１を介してメインファン４１０に接続され、このメインファン駆動回路４１１を介してメインファン４１０に前述の２４Ｖを通電するか否かを切り換える。同様に、ＡＳＩＣ５００は、ＰＳファン駆動回路４２１を介してＰＳファン４２０に接続され、このＰＳファン駆動回路４２１を介してＰＳファン４２０に前述の２４Ｖを通電するか否かを切り換える。更に、ＡＳＩＣ５００は、ソレノイド駆動回路４３１を介してソレノイド４３０に接続され、このソレノイド駆動回路４３１を介してソレノイド４３０に前述の２４Ｖを通電するか否かを切り換える。
【００５７】
また、ＡＳＩＣ５００は、ＤＣモータ駆動回路４４１を介してＤＣモータ４４０に接続され、更に、ＤＣモータ駆動回路４４１とＡＳＩＣ５００との間にはＤ／Ａ変換回路４４２も接続されている。ＡＳＩＣ５００は、ＤＣモータ４４０に前述の２４Ｖを通電するか否かを切り換えるためのＯＮ／ＯＦＦ信号をＤＣモータ駆動回路４４１に直接入力する一方、ＤＣモータ４４０の駆動電流制御信号としてのＰＷＭ信号を、Ｄ／Ａ変換回路４４２を介してＤＣモータ駆動回路４４１に入力する。同様に、ＡＳＩＣ５００は、ポリゴンモータ駆動回路４５１を介してポリゴンモータ４５０に接続され、更に、ポリゴンモータ駆動回路４５１とＡＳＩＣ５００との間にはＤ／Ａ変換回路４５２も接続されている。ＡＳＩＣ５００は、ポリゴンモータ４５０に前述の２４Ｖを通電するか否かを切り換えるためのＯＮ／ＯＦＦ信号をポリゴンモータ駆動回路４５１に直接入力する一方、ポリゴンモータ４５０の駆動電流制御信号としてのＰＷＭ信号を、Ｄ／Ａ変換回路４５２を介してポリゴンモータ駆動回路４５１に入力する。
【００５８】
また、ＤＣモータ４４０には、その回転速度を検知するＤＣモータ速度検知回路４４３が接続され、検出結果をＡＳＩＣ５００に入力している。更に、ＤＣモータ駆動回路４４１には、その通電電流を検出するＤＣモータ駆動電流検出回路４４４が接続され、検出結果をＡＳＩＣ５００に入力している。同様に、ポリゴンモータ４５０にはポリゴンモータ速度検知回路４５３が、ポリゴンモータ駆動回路４５１にはポリゴンモータ駆動電流検出回路４５４が、それぞれ接続され、検出結果をそれぞれＡＳＩＣ５００に入力している。更に、ＡＳＩＣ５００には、図４に破線で示すように、ネットワークボード５０１やＤＩＭＭ５０２が、拡張メモリとしてオプションで実装可能に構成されている。
【００５９】
３．実施の形態のレーザープリンタにおける制御
次に、ＡＳＩＣ５００で実行される処理について説明する。図５は、ＡＳＩＣ５００にて実行される処理を表すフローチャートである。なお、ＡＳＩＣ５００では、レーザプリンタ１の電源投入時にこの処理が開始される。
【００６０】
処理が開始されると、先ず、Ｓ１（Ｓはステップを表す：以下同様）で、待機電流設定Ｉ＝３にて電流制御がなされる。本実施の形態では、画像形成がなされない待機中（いわゆるスタンバイモード）における待機電流設定Ｉを、次の表１に示すように０，１，２，３の４形態用意している。なお、いずれの待機電流設定Ｉも、ＤＣモータ４４０に通電されるＤＣモータ電流ＤＭＩはＤＣモータ４４０が回転しない程度に設定され、ポリゴンモータ４５０に通電されるポリゴンモータ電流ＰＭＩは、ポリゴンモータ４５０の回転によって生じる騒音がオフィスの平均的な騒音とされる５０ｄＢ以下となるように設定されている。
【００６１】
【表１】
0004404022.tif 000002
【００６２】
すなわち、Ｓ１では、最も電流量が多い待機電流設定Ｉ＝３に応じて、ＤＣモータ駆動回路４４１，ポリゴンモータ駆動回路４５１を介して電流制御がなされるのである。続くＳ３では、ネットワークボード５０１が実装されているか否かが判断され、実装されていない場合は（Ｓ２：Ｎ）、Ｓ３にてＤＩＭＭ５０２が実装されているか否かが判断される。ネットワークボード５０１もＤＩＭＭ５０２もいずれも実装されていない場合は（Ｓ３：Ｎ）、Ｓ４にて、最も電流量が少ない待機電流設定Ｉ＝０がメモリにセットされる。
【００６３】
一方、ネットワークボード５０１は実装されていないがＤＩＭＭ５０２が実装されている場合は（Ｓ３：Ｙ）、Ｓ５にて、２番目に電流量が少ない待機電流設定Ｉ＝１がメモリにセットされる。また、ネットワークボード５０１が実装されている場合は（Ｓ２：Ｙ）、Ｓ６にて、ＤＩＭＭ５０２が実装されているか否かが判断され、ネットワークボード５０１もＤＩＭＭ５０２もいずれも実装されている場合は（Ｓ６：Ｙ）、Ｓ８にて、最も電流量が多い待機電流設定Ｉ＝３がメモリにセットされる。更に、ネットワークボード５０１は実装されているがＤＩＭＭ５０２が実装されていない場合は（Ｓ６：Ｎ）、Ｓ９にて、２番目に電流量が多い待機電流設定Ｉ＝２がメモリにセットされる。
【００６４】
このように、Ｓ４，Ｓ５，Ｓ８，Ｓ９のいずれかで待機電流設定Ｉがメモリにセットされると、処理はＳ１０へ移行し、セットされている待機電流設定Ｉにて電流制御がなされる。続くＳ１１では、画像形成指令があったか否かが判断され、画像形成指令がない場合は（Ｓ１１：Ｎ）、そのままＳ１１にて待機する。そして、外部からデータが入力されるなどして画像形成指令が発生すると（Ｓ１１：Ｙ）、Ｓ１２にて、画像形成部１０による周知の画像形成処理が実行される。続くＳ１３では、画像形成が終了したか否かが判断され、終了していない場合は（Ｓ１３：Ｎ）、再びＳ１２へ移行して画像形成処理が続行される。
【００６５】
そして、Ｓ１２，Ｓ１３の処理を繰り返すうちに画像形成が終了すると（Ｓ１３：Ｙ）、Ｓ１４にて、ＤＣモータ電流ＤＭＩが０Ａに制御される。前述の待機電流設定Ｉでは、いずれもＤＣモータ電流ＤＭＩが０Ａではないため、画像形成終了後に即座に待機電流設定Ｉに応じた電流制御を行うと、ＤＣモータ４４０の停止に時間がかかる可能性がある。そこで、画像形成終了後には、ＤＣモータ電流ＤＭＩを一旦０Ａに制御して、ＤＣモータ４４０に制動をかけるのである。続くＳ１５では、ＤＣモータ４４０が停止するのに必要な所定時間待機した後、処理は前述のＳ１０へ移行し、メモリにセットされている前述の待機電流設定Ｉにて電流制御がなされる。
【００６６】
図６は、上記処理に応じた各部の通電状態の変化を表す説明図である。なお、図６は、ネットワークボード５０１もＤＩＭＭ５０２もいずれも実装され、待機電流設定Ｉ＝３がメモリにセットされている場合に対応する。
【００６７】
図６に示すように、画像形成処理実行中のプリント（Ｐｒｉｎｔ）モード（第２の動作モードに相当）では、メインファン４１０（ＭＡＩＮ  ＦＡＮ），ＰＳファン４２０（ＰＳ  ＦＡＮ），ＤＣモータ４４０，ポリゴンモータ４５０がいずれも全速（ＯＮ）で駆動されるため、第１出力ライン３１１から流れ出る電流（以下、２４Ｖ電流という）も多い。このため、第１出力ライン３１１の出力電圧（以下、２４Ｖ電圧という）は適正値に制御される。
【００６８】
Ｓ１１にて画像形成指令があるまで待機するスタンバイ（Ｓｔａｎｄ  ｂｙ）モード（第１の動作モードに相当）では、２４Ｖ電圧が上昇する傾向があるが、本実施の形態では、次のようにその上昇を抑制することができる。すなわち、図６に示すように、ＤＣモータ４４０が停止するのに必要な所定時間、ＤＣモータ電流ＤＭＩを０Ａ（ＯＦＦ）にしたときは、ポリゴンモータ４５０は依然として全速で駆動されている。このため、２４Ｖ電流の低下を抑制して、２４Ｖ電圧の上昇を抑制することができる。また、スタンバイモードでは、Ｓ１０にて待機電流設定Ｉ＝３にて電流制御がなされているので、ＤＣモータ電流ＤＭＩ及びポリゴンモータ電流ＰＭＩがそれぞれ０．１Ａ通電される。従って、この場合も２４Ｖ電流の低下を抑制して、２４Ｖ電圧の上昇を抑制することができる。
【００６９】
しかも、これらのＤＣモータ電流ＤＭＩ及びポリゴンモータ電流ＰＭＩは、ＤＣモータ４４０，ポリゴンモータ４５０の定格未満であり、また、前述のように、ＤＣモータ４４０は回転せず、ポリゴンモータ４５０の騒音も問題にならない。このため、ＤＣモータ４４０及びポリゴンモータ４５０の破壊を免れることができ、しかも、レーザプリンタ１は外見上、これらになんら通電がなされない従来のスタインバイモードと同様となる。
【００７０】
更に、ネットワークボード５０１やＤＩＭＭ５０２がＡＳＩＣ５００に実装されると、２４Ｖ電圧が上昇し易くなることが知られているが、本実施の形態では、これらの実装状態に応じて待機電流設定Ｉを変更しているので、２４Ｖ電圧の上昇を一層良好に抑制することができる。また、ＤＣモータ４４０の定格電流はメインファン４１０やＰＳファン４２０の定格電流よりも大きいので、２４Ｖ電圧の上昇を一層効率的に抑制することができる。
【００７１】
なお、上記実施の形態において、ＤＣモータ４４０及びポリゴンモータ４５０が所定電装品に、ソレノイド４３０が他の電装品に、ＤＣモータ駆動回路４４１，ポリゴンモータ駆動回路４５１，及びＡＳＩＣ５００が通電制御手段に、電源ユニット１００がスイッチング電源に、第１出力ライン３１１が駆動系用出力に、第２出力ライン３１３が制御系用出力に、それぞれ相当する。また、本発明は上記実施の形態になんら限定されるものではなく、本発明の要旨を逸脱しない範囲で種々の形態で実施することができる。例えば、上記実施の形態において、スタンバイモードでは、定着器ユニット９０が冷却された後にはメインファン４１０及びＰＳファン４２０を半速で駆動してもよく、この場合、スタンバイモードにおける騒音を一層良好に低減することができる。
【００７２】
なお、メインファン４１０及びＰＳファン４２０を半速駆動する構成は、メインファン４１０やＰＳファン４２０をツェナーダイオードなどの定電圧素子、或いは抵抗を介して第１出力ライン３１１に接続すればよい。この構成によれば、メインファン４１０やＰＳファン４２０には、第１出力ライン３１１の出力電圧が、メインファン４１０やＰＳファン４２０と直列接続された定電圧素子、または抵抗により分圧されて供給されるので、半速駆動となる。このとき、第１出力ライン３１１の出力電圧が多少上昇したとしても、メインファン４１０及びＰＳファン４２０には分圧された電圧がかかるので、それらに定格電圧を超える電圧がかかることはない。また、本発明は、次のように、更に種々の形態で実施することができる。
【００７３】
４．第２の実施の形態
図７は、本発明の第２の実施の形態における制御系の構成を表すブロック図である。図７に示すように、本実施の形態は、第１出力ライン３１１の電圧（２４Ｖ電圧）を検出する２４Ｖ電圧検出部５１０がＡＳＩＣ５００に接続された点において、前述の実施の形態（第１の実施の形態）と異なり、他は同様に構成されている。なお、図７には図示されていないが、本実施の形態においても、ＡＳＩＣ５００にネットワークボード５０１やＤＩＭＭ５０２が実装可能である。
【００７４】
次に、本実施の形態においてＡＳＩＣ５００で実行される処理について説明する。図８は、ＡＳＩＣ５００にて実行される処理を表すフローチャートである。なお、ＡＳＩＣ５００では、レーザプリンタ１の電源投入時にこの処理が開始される。
【００７５】
処理が開始されると、先ず、Ｓ１にて、ＤＣモータ電流ＤＭＩが０．２Ａに、ポリゴンモータ電流ＰＭＩが０．１Ａに、それぞれ制御される。これらの電流値は、スタンバイモードにおける２４Ｖ電圧の上昇を確実に抑制することのできる電流値である。続くＳ２では、２４Ｖ電圧（２４Ｖ出力）が、スタンバイモードにおける適正範囲の下限以上であるか否かが判断される。
【００７６】
２４Ｖ電圧が上記下限未満である場合は、２４Ｖ電圧の上昇を抑制するために必要な以上の電流がＤＣモータ４４０等に通電されていることが分かる。そこで、この場合（Ｓ２：Ｎ）、ポリゴンモータ電流ＰＭＩが０Ａであるか否かがＳ３てに判断され、ＰＭＩ≠０Ａの場合は（Ｓ３：Ｎ）、Ｓ４にて、ＤＣモータ電流ＤＭＩはそのままでポリゴンモータ電流ＰＭＩが０．０２Ａ減少補正される。また、ＰＭＩ＝０Ａの場合は（Ｓ３：Ｙ）、Ｓ５にて、ポリゴンモータ電流ＰＭＩはそのままでＤＣモータ電流ＤＭＩが０．０２Ａ減少補正される。
【００７７】
このように、ポリゴンモータ電流ＰＭＩまたはＤＣモータ電流ＤＭＩが減少補正されると、処理は再びＳ２へ移行し、２４Ｖ電圧が下限以上となるまで上記処理が繰り返される。そして、２４Ｖ電圧が下限以上となると（Ｓ２：Ｙ）、処理はＳ１１へ移行し、図５のＳ１１〜Ｓ１５と同様の処理が実行される。すなわち、画像形成指令があるまで待機し（Ｓ１１）、画像形成指令が発生すると（Ｓ１１：Ｙ）、画像形成処理が実行される（Ｓ１２）。そして、画像形成が終了すると（Ｓ１３：Ｙ）、ＤＣモータ電流ＤＭＩが０Ａに制御され（Ｓ１４）、ＤＣモータ４４０が停止するのに必要な所定時間待機した後（Ｓ１５）、処理は前述のＳ１へ移行する。
【００７８】
本実施の形態でも、第１の実施の形態と同様に、２４Ｖ電圧の上昇を良好に抑制することができる。また、本実施の形態では、スタンバイモードにおける通電電流を、２４Ｖ電圧検出部５１０の検出結果に基づいて必要最小限に抑制しているので、消費電力を一層良好に低減することができる。
【００７９】
５．第３の実施の形態
図９は、本発明の第３の実施の形態における制御系の構成を表すブロック図である。図９に示すように、本実施の形態は、レジストローラ２７の駆動／停止を切り換えるレジストソレノイド４６０がレジストソレノイド駆動回路４６１を介してＡＳＩＣ５００に接続された点と、前述の給紙トレイ２１，リアカバー３ｂ，及び図１に示すフロントカバー３ｃ（いずれもカバーに相当）の開閉を検出する開放検出手段としてのカバーセンサ５２１，５２２，及び５２３、並びに、定着器ユニット９０のすぐ下流で被記録媒体の有無を検出する排紙センサ５２４がＡＳＩＣ５００に接続された点とにおいて、第１の実施の形態と異なり、他は同様に構成されている。なお、図９には図示されていないが、本実施の形態においても、ＡＳＩＣ５００にネットワークボード５０１やＤＩＭＭ５０２が実装可能である。
【００８０】
次に、本実施の形態においてＡＳＩＣ５００で実行される処理について説明する。図１０，図１１は、ＡＳＩＣ５００にて実行される処理を表すフローチャートである。なお、ＡＳＩＣ５００では、レーザプリンタ１の電源投入時にこの処理が開始される。
【００８１】
処理が開始されると、先ず、Ｓ１にて、ポリゴンモータ電流ＰＭＩが０．１Ａに、ＤＣモータ電流ＤＭＩが０．１Ａに、メインファン４１０及びＰＳファン４２０が半速に、それぞれ制御される。なお、メインファン４１０及びＰＳファン４２０を半速駆動する構成は、第１の実施の形態と同様に、メインファン４１０やＰＳファン４２０をツェナーダイオードなどの定電圧素子、或いは抵抗を介して第１出力ライン３１１に接続すればよい。続くＳ２では、画像形成指令があるまで待機し、画像形成指令が発生すると（Ｓ２：Ｙ）、Ｓ３にて、ポリゴンモータ４５０，ＤＣモータ４４０，メインファン４１０，及びＰＳファン４２０がそれぞれ全速に制御され、周知の画像形成処理が実行される。
【００８２】
続くＳ４では、画像形成中にジャムが検知されたか否かが判断され、ジャムが検知されていない場合は（Ｓ４：Ｎ）、Ｓ５にて画像形成が終了したか否かが判断される。そして、画像形成が終了していない場合は（Ｓ５：Ｎ）、再びＳ４へ移行し、このＳ４，Ｓ５の処理が繰り返される間に画像形成が続行される。画像形成が終了すると（Ｓ５：Ｙ）、処理は前述のＳ１へ移行し、ポリゴンモータ電流ＰＭＩが０．１Ａに、ＤＣモータ電流ＤＭＩが０．１Ａに、メインファン４１０及びＰＳファン４２０が半速に、それぞれ制御される。このように、本実施の形態でも、スタンバイモード（Ｓ２における待機中）ではポリゴンモータ電流ＰＭＩ及びＤＣモータ電流ＤＭＩを０．１Ａに制御することにより、２４Ｖ電圧の上昇を抑制することができる。
【００８３】
また、本実施の形態では、Ｓ４，Ｓ５のループ処理中にジャムが検知されると（Ｓ４：Ｙ）、Ｓ８以下の処理により次のような制御が実行される。なお、ジャム検知の方法としては、周知の各種方法が利用可能であるが、ここで、一例として、レジストソレノイド４６０及び排紙センサ５２４を利用してジャムを検知する方法を説明する。
【００８４】
図１２は、そのようなジャム検知処理の一例を表すフローチャートである。図１２に示すように、この処理では、先ず、Ｓ４１にて、画像形成指令があるまで待機し、画像形成指令があると（Ｓ４１：Ｙ）、続くＳ４２にて、給紙指令があるまで待機する。そして、給紙指令があると（Ｓ４２：Ｙ）、続くＳ４３にて、被記録媒体がレジストローラ２７の近傍まで搬送されるのに要する所定時間待機した後、Ｓ４４にて、レジストソレノイド４６０がＯＦＦからＯＮに切り換えられる。これにより、レジストローラ２７は回転が禁止され、被記録媒体の先端を係止可能となる。
【００８５】
続いて、Ｓ４５にて、レジストローラ２７が被記録媒体の搬送状態を整えるのに必要とされる所定時間待機した後、Ｓ４６にて、レジストソレノイド４６０がＯＮからＯＦＦに切り換えられる。すると、通常は、被記録媒体に画像が形成されて排紙トレイ５に排出される。そこで、続くＳ４７では、被記録媒体が排紙トレイ５に排出されるのに充分な所定時間（例えば５．７９秒）待機し、続くＳ４８にて、排紙センサ５２４がＯＦＦ（すなわち被記録媒体を検出していない）か否かが判断される。排紙センサ５２４がＯＦＦであれば（Ｓ４８：Ｙ）、被記録媒体が正常に排出されたものとして、Ｓ５１にてジャムなしを判定した後、前述のＳ４２へ移行して次の給紙指令があるまで待機する。一方、排紙センサ５２４がＯＦＦでなければ（Ｓ４８：Ｎ）、ジャムが発生して被記録媒体が正常に排出されなかったことが分かるので、Ｓ５２にてジャムありを判定して一旦処理を終了する。
【００８６】
図１０に戻って、このように、画像形成中にジャムが検知された場合（Ｓ４：Ｙ）、Ｓ８にてメインファン４１０及びＰＳファン４２０が半速に制御され、続くＳ９にて、ＤＣモータ電流ＤＭＩが０Ａに、ポリゴンモータ電流ＰＭＩが０．１Ａに、それぞれ制御される。続くＳ１０にて、ＤＣモータ４４０が停止するのに必要な所定時間待機した後、Ｓ１１にて、ＤＣモータ４４０が所定時間逆回転される。これは、詰まった被記録媒体を取り出してジャムを解消する作業を容易にするための処理である。
【００８７】
Ｓ１１における所定時間逆回転の後、ＤＣモータ電流ＤＭＩは再び０Ａとされるが、続くＳ１２にて、ＤＣモータ４４０が停止するのに必要な所定時間待機した後、ＤＣモータ電流ＤＭＩが０．１Ａに制御される。すると、前述のように、ＤＣモータ４４０は通電量が少ないため静止を続ける。そして、続くＳ１４にて、２４Ｖ電圧が安定するのに必要な所定時間待機した後、Ｓ１５にてメインファン４１０及びＰＳファン４２０が全速で駆動される。この時点では、ＤＣモータ４４０への上記通電により２４Ｖ電圧の上昇が抑制されているので、メインファン４１０及びＰＳファン４２０を全速で駆動してもそれらのファンに定格以上の電圧が加わることもない。
【００８８】
続くＳ１６では、メインファン４１０及びＰＳファン４２０が全速で駆動されてから、定着器ユニット９０の冷却に要する所定時間が経過したか否かが判断される。所定時間が経過していない場合は（Ｓ１６：Ｎ）、Ｓ１７にて、カバーセンサ５２１〜５２３のいずれかによりいずれかのカバーの開放（カバーオープン）が検出されたか否かが判断され、カバーオープンが検出されていない場合は（Ｓ１７：Ｎ）、処理は前述のＳ１６へ移行する。こうして、Ｓ１６，Ｓ１７のループ処理を繰り返す間に上記所定時間が経過すると（Ｓ１６：Ｙ）、Ｓ２０にて、メインファン４１０及びＰＳファン４２０が半速に制御され、続くＳ２１にて、ＡＳＩＣ５００はジャムエラー待機状態となる。
【００８９】
一方、メインファン４１０及びＰＳファン４２０が全速で駆動されてから上記所定時間が経過するまでにカバーオープンが検出されると（Ｓ１７：Ｙ）、処理はＳ２５へ移行し、ポリゴンモータ電流ＰＭＩが０．２Ａに制御される。続いて、Ｓ２６にて、２４Ｖ電圧が安定するまでの所定時間待機した後、Ｓ２７にて、ＤＣモータ電流ＤＭＩが０Ａに制御される。カバーオープン時に、ＤＣモータ電流ＤＭＩが０．１Ａなどに制御されていると、被記録媒体が使用者によって引っ張られるなどした場合にＤＣモータ４４０に想定外の負荷がかかる可能性がある。そこで、本実施の形態では、カバーオープン時にはＤＭＩ＝０Ａに制御しているのである。また、この処理に先立ち、ポリゴンモータ電流ＰＭＩを０．２Ａに制御しているので、２４Ｖ電圧の上昇も良好に抑制することができる。
【００９０】
続くＳ２８では、メインファン４１０及びＰＳファン４２０が全速で駆動されてから、定着器ユニット９０の冷却に要する所定時間が経過したか否かが判断される。所定時間が経過していない場合は（Ｓ２８：Ｎ）、Ｓ２９にて、カバーセンサ５２１〜５２３の全てがカバーが閉じられていること（カバークローズ）を検出しているか否かが判断される。カバークローズが検出されていない場合は、前述のＳ２８へ移行する。そして、Ｓ２８，Ｓ２９の処理を繰り返すうちに上記所定時間が経過すると（Ｓ２８：Ｙ）、Ｓ３０にてメインファン４１０及びＰＳファン４２０が半速に制御され、続くＳ３１にて、カバークローズが検出されるまで待機する。
【００９１】
Ｓ２８，Ｓ２９のループ処理中若しくはＳ３１における待機中にカバークローズが検出されると（Ｓ２９：Ｙ若しくはＳ３１：Ｙ）、Ｓ３２にて、ＤＣモータ電流が０．１Ａに制御され、Ｓ３３にて、２４Ｖ電圧が安定するのに必要な所定時間待機した後、Ｓ３４にて、ポリゴンモータ電流ＰＭＩが０．１Ａに制御される。続くＳ３５では、メインファン４１０及びＰＳファン４２０が全速で駆動されてから、定着器ユニット９０の冷却に要する所定時間が経過したか否かが判断される。所定時間が経過している場合はそのまま（Ｓ３５：Ｙ）、所定時間が経過していない場合は（Ｓ３５：Ｎ）、そのＳ３５にて上記所定時間が経過するまで待機してから（Ｓ３５：Ｙ）、処理は前述のＳ２０へ移行する。
【００９２】
次に、図１３は、上記処理に応じた各部の通電状態の変化を表すタイムチャートである。図１３に示すように、画像形成中の時刻ｔ1 にてジャムが検知されるまでは、メインファン４１０，ＰＳファン４２０，ＤＣモータ４４０，ポリゴンモータ４５０はいずれも全速で駆動される（Ｓ３）。時刻ｔ1 にてジャムが検知されると（Ｓ４：Ｙ）、ＤＣモータ４４０は、ＤＭＩ＝０Ａとすることによる制動を挟んで逆転され（Ｓ１１）、再び制動を挟んでＤＭＩ＝０．１Ａとすることにより静止状態に保持される（Ｓ１３）。
【００９３】
ＤＭＩ＝ＰＭＩ＝０．１Ａに制御された時刻ｔ2 から２４Ｖ電圧が安定するのに必要な所定時間が経過すると（Ｓ１４：Ｙ）、メインファン４１０及びＰＳファン４２０は全速で駆動され、更に所定時間が経過して定着器ユニット９０が冷却されると（Ｓ１６：Ｙ）、メインファン４１０及びＰＳファン４２０は半速で駆動される。
【００９４】
カバーオープンがなされない限り、図１３に一点鎖線で示すように、時刻ｔ2 以降はＤＭＩ＝ＰＭＩ＝０．１Ａに維持される。ところが、例えば時刻ｔ2 以降の時刻ｔ3 でカバーオープンがなされたとすると、図１３に実線で示すように、ＰＭＩ＝０．２Ａとされ（Ｓ２５）、ＤＭＩ＝０Ａとされる（Ｓ２７）。このように、カバーオープン時にはＤＭＩ＝０Ａとすることにより、使用者がジャム処理のために被記録媒体を引っ張るなどした場合にも、ＤＣモータ４４０が損傷するのを良好に防止することができる。
【００９５】
６．更に他の実施の形態
更に、上記各実施の形態において、次のような割り込み処理を実行すれば、ＤＣモータ４４０の異常にも対応することができる。図１４は、ＤＣモータ４４０の回転を指示する通電信号に応じて割り込み実行される処理を表すフローチャートである。
【００９６】
この処理では、先ずＳ７１にて、ＤＣモータ４４０の通電信号が発生してから所定時間内にＤＣモータロック信号を検出したか否かが判断される。ＤＣモータロック信号は、ＤＣモータ４４０が所定回転数に達したときに発生する信号であり、ＤＣモータ４４０に異常がなければ上記所定時間内にＤＣモータロック信号が検出される。そこで、Ｓ７１にて肯定判断した場合は、ＤＣモータ４４０に異常はないと判断し、Ｓ７２にて通常処理へ移行する。
【００９７】
一方、上記所定時間内にＤＣモータロック信号が検出されない場合は（Ｓ７１：Ｎ）、Ｓ７３にてＤＣモータ電流ＤＭＩが０Ａに、ポリゴンモータ電流ＰＭＩが０．２Ａに、それぞれ制御される。すなわち、ＤＣモータ４４０に異常がある可能性があるため、ＤＣモータ４４０への通電を中止するのである。
【００９８】
続いて、Ｓ７４にて、２４Ｖ電圧が安定するのに必要な所定時間が経過するまで待機した後、Ｓ７５にて、メインファン４１０及びＰＳファン４２０が全速で駆動される。そして、Ｓ７６にて、定着器ユニット９０の冷却に要する所定時間が経過するまで待機した後、Ｓ７７にて、メインファン４１０及びＰＳファン４２０が半速で駆動され、続くＳ７８にて、ＡＳＩＣ５００はＤＣモータロックエラー待機状態となる。
【００９９】
以上の処理により、ＤＣモータ４４０に異常のある可能性がある場合（Ｓ７１：Ｎ）、そのＤＣモータ４４０には通電せず、ポリゴンモータ４５０にのみ通電することにより２４Ｖ電圧の上昇を抑制することができる。従って、ＤＣモータ４４０の破損等を一層良好に防止することができる。
【０１００】
なお、上記処理において、Ｓ７１が異常検出手段に相当する。更に、本発明は画像形成装置以外の電子機器にも適用することができ、所定電装品及び他の電装品としても、上記の他、種々の形態が考えられる。
【図面の簡単な説明】
【０１０１】
【図１】本発明を適用したレーザプリンタの外観を表す斜視図である。
【図２】そのレーザプリンタの内部構成を表す縦断面図である。
【図３】そのレーザプリンタの電源ユニットの構成を表す回路図である。
【図４】そのレーザプリンタの制御系の構成を表すブロック図である。
【図５】その制御系にて実行される処理を表すフローチャートである。
【図６】その処理に応じた各部の通電状態の変化を表す説明図である。
【図７】第２の実施の形態における制御系の構成を表すブロック図である。
【図８】その制御系にて実行される処理を表すフローチャートである。
【図９】第３の実施の形態における制御系の構成を表すブロック図である。
【図１０】その制御系にて実行される処理の一部を表すフローチャートである。
【図１１】その制御系にて実行される処理の続きを表すフローチャートである。
【図１２】その処理におけるジャム検知処理の一例を表すフローチャートである。
【図１３】その処理に応じた各部の通電状態の変化を表すタイムチャートである。
【図１４】各実施の形態において割り込み実行可能な処理を表すフローチャートである。
【符号の説明】
【０１０２】
１…レーザプリンタ    １０…画像形成部    ２０…フィーダ部    ２１…給紙トレイ
２７…レジストローラ        ７０…スキャナ部        ７２…ポリゴンミラー
８０…プロセスカートリッジ    ８３…転写ローラ      ８４ｃ…現像ローラ
８１…感光体ドラム          ９０…定着器ユニット    １００…電源ユニット
１４０…スイッチング素子    １５０…発振制御回路    １６０…フォトトランジスタ
１６１…フォトダイオード    ２００…トランス        ３１１…第１出力ライン
３１３…第２出力ライン      ４１０…メインファン    ４１１…メインファン駆動回路
４２０…ＰＳファン    ４２１…ＰＳファン駆動回路    ４３０…ソレノイド
４３１…ソレノイド駆動回路    ４４０…ＤＣモータ    ４４１…ＤＣモータ駆動回路
４４２…Ｄ／Ａ変換回路                      ４４３…ＤＣモータ速度検知回路
４４４…ＤＣモータ駆動電流検出回路          ４５０…ポリゴンモータ
４５１…ポリゴンモータ駆動回路              ４５２…Ｄ／Ａ変換回路
４５４…ポリゴンモータ駆動電流検出回路      ４６０…レジストソレノイド
４６１…レジストソレノイド駆動回路          ５００…ＡＳＩＣ
５０１…ネットワークボード                  ５０２…ＤＩＭＭ
５１０…２４Ｖ電圧検出部      ５２１…カバーセンサ      ５２４…排紙センサ
【図１】
0004404022.tif 000003
【図２】
0004404022.tif 000004
【図３】
0004404022.tif 000005
【図４】
0004404022.tif 000006
【図５】
0004404022.tif 000007
【図６】
0004404022.tif 000008
【図７】
0004404022.tif 000009
【図８】
0004404022.tif 000010
【図９】
0004404022.tif 000011
【図１０】
0004404022.tif 000012
【図１１】
0004404022.tif 000013
【図１２】
0004404022.tif 000014
【図１３】
0004404022.tif 000015
【図１４】
0004404022.tif 000016